(57)【要約】【課題】高い輝度と高い拡散性とを実現する光学シートを提供する。【解決手段】本発明の態様による光学シート１００は、透明基材１０と、透明基材１０上に配置されたレンズアレイ２０と、を備え、レンズアレイ２０は、凹状又は凸状の複数のレンズ２２で構成され、複数のレンズ２２は透明基材１０のレンズ形成面上において隙間なく並んで配置され、レンズ２２の曲面の曲率が最大になる点の接線と透明基材１０表面とが成す接線角が２０度以上５０度以下である。【選択図】図２
2017040759.tif 000002
【特許請求の範囲】
【請求項１】
透明基材と、
前記透明基材上に配置されたレンズアレイと、を備え、
前記レンズアレイは、凹状又は凸状の複数のレンズで構成され、
前記複数のレンズは前記透明基材のレンズ形成面上において隙間なく並んで配置され、
前記レンズの曲面の曲率が最大になる点の接線と前記透明基材表面とが成す接線角が２０度以上５０度以下であることを特徴とする光学シート。
【請求項２】
平面視において、前記レンズは、レンズ頂点を通る第１線と、前記レンズ頂点を通り前記第１線と長さが異なる第２線とを含む六角形であって、
前記第１線を通り前記透明基材と前記レンズアレイとが積層した積層方向に平行な断面におけるレンズ曲面の曲率が最大になる点の接線と前記透明基材表面とが成す接線角が３０度以上５０度以下の範囲であり、
前記第２線を通り前記積層方向に平行な断面におけるレンズの曲面の曲率が最大になる点の接線と前記透明基材表面とが成す接線角が２０度以上３０度以下であることを特徴とする請求項１記載の光学シート。
【請求項３】
平面視において、前記レンズは、レンズ頂点を通る第１線と、前記レンズ頂点を通り前記第１線と長さが異なる第２線とを含む六角形であって、
前記第１線を通り前記透明基材と前記レンズアレイとが積層した積層方向に平行な断面におけるレンズ曲面の曲率半径が５０μｍから１００μｍの範囲であり、
前記第２線を通り前記積層方向に平行な断面におけるレンズ曲面の曲率半径は１５０μｍから２５０μｍの範囲であることを特徴とする請求項１又は請求項２記載の光学シート。
【請求項４】
前記レンズは、レンズ底面における第１対角線と、前記第１対角線と長さが異なる第２対角線とを含む六角形であって、前記第２対角線の長さは前記第１対角線の長さの１．３倍以上１．８倍以下であることを特徴とする請求項１乃至３のいずれか一項に記載の光学シート。
【請求項５】
前記レンズは、レンズ表面にスジ状の微細な凹凸が複数存在し、その凹凸の算術平均粗さ（Ｒａ）が０．００５μｍから０．０３μｍの範囲であることを特徴とする請求項１乃至４のいずれか一項に記載の光学シート。
【請求項６】
前記レンズの底面の形状は、全ての対角線の長さが同じである六角形又は四角形であることを特徴とする請求項１記載の光学シート。
【請求項７】
前記レンズアレイは、底面の形状が互いに異なる複数の前記レンズを含む請求項１記載の光学シート。
【請求項８】
前記レンズアレイは、前記接線角が互いに異なる複数の前記レンズを含む請求項１記載の光学シート。
【発明の詳細な説明】
【技術分野】
【０００１】
本発明は、光学シートに関し、特に光路制御に用いられる光学シートに関する。
【背景技術】
【０００２】
光路制御用に用いられる光学シートとして、例えば光を拡散する機能、集光機能、偏光機能などを有するものが普及している。拡散シートや集光シートは、主に発光面全体の明るさに均一性が求められている装置、例えば、照明装置や液晶表示パネルを利用した液晶表示装置等に搭載されている。そのような装置の中でも、液晶表示装置は携帯電話や個人用携帯情報端末等の携帯端末用、パーソナルコンピュータ（ＰＣ）用、家庭用の大型画面対応画像表示装置用等、幅広い分野に普及しており、液晶表示装置の利点をより活用させるために、大型化だけでなく、高輝度化、薄型・軽量化等に対応した様々な製品が供給されている。
【０００３】
液晶表示装置は装置内部に光源を内蔵していることも多く、画像を表示するために必要な明るさを確保するべく、液晶パネルの背面側に配置された光源を含めたバックライトユニットを含む場合もある。バックライトユニットに採用されている光源手段としては、現在、ライト・エミッティング・ダイオード（ＬＥＤ）が主流となっており、ＬＥＤ光源を液晶表示装置の側面側に配置させ、光透過性に優れた平板状の導光板内で多重反射させる「導光板ライトガイド方式」（いわゆる、エッジライト方式）と、画像表示素子及び液晶表示装置の背面側に複数のＬＥＤ光源が配設され、両者の間に光散乱性の強い拡散板及び光学シートを配置してＬＥＤ光源が直接視認されないような構成を備えた「直下型方式」等の方式が採用されている。
【０００４】
近年の液晶表示装置等のバックライトユニットを使用する画像表示装置においては、地球環境問題対策の一環でもある、消費エネルギーを低減させることを目的とする消費電力抑制が大きな課題となっている。液晶表示装置の場合、光源となるバックライトユニットの消費電力が最も大きく、このバックライトユニットの消費電力を抑制する取組みが幅広い分野の技術を駆使して行われている。特にバッテリーを有するスマートフォンやタブレッド等の携帯端末やノート型ＰＣにおいては、駆動時間を長くすることが大きな課題となっており、消費電力を下げる取組みが数多く取られている。
【０００５】
消費電力が低いと言われているＬＥＤを光源とする場合においても、光源を液晶表示装置の背面側に配置する直下型方式や液晶表示装置の側面側に配置するエッジライト型方式の構成が採用されており、従来よりもコントラスト比を向上させた製品が市場に投入さている。しかし、ＬＥＤ光源周囲の発熱や必要とされる輝度が得られていない等の課題が残されている。発熱を抑えて消費電力を下げるには、点光源であるＬＥＤの数を減らすことが有効ではあるが、上述したように必要な輝度が得られない、ＬＥＤの間隔が広がることで光源の明暗である輝度ムラ（ランプイメージ）が強くなる、ディスプレイ内部の温度環境による光学シートの変形に起因する明暗ムラが発生する、等の課題を解決する必要がある。現状においては、これらの課題を解消する取組みとして、液晶表示装置に用いられている拡散板、導光板及び集光、拡散、偏光機能を有する光学シートのそれぞれの性能を向上させると共に、これらを複数組合せて使用することで、必要とされる輝度の確保や、ランプイメージや輝度ムラの低減が図られている。
【０００６】
従来の光学シートの一例として、半球状のレンズを有する光学シートを用いたものが特許文献１に開示されている。この光学シートは、光の集光性と拡散性を制御し、積層されて用いられる光学シートまたは機能性を有する光学部材と接触しても、丸みを帯びた構造上、接触による摩擦が生じても滑りがよいために傷が付き難い特徴を有している。
【先行技術文献】
【特許文献】
【０００７】
【特許文献１】特開２００６−３０１５２８号公報
【発明の概要】
【発明が解決しようとする課題】
【０００８】
しかしながら、従来の光学シートでは、隣接するマイクロレンズ間に隙間が生じることから、マイクロレンズ内を通ってマイクロレンズと空気層界面で屈折、散乱されて正面に集光される光と、隣接するマイクロレンズ間にできる隙間から屈折、散乱されずに出射される光とが発生し、これらの光の輝度差から輝点や輝線が視認されることがあった。
【０００９】
また、光を拡散させる光学シートとしては、シート表面に光を拡散させる粒子を層状に形成させたもの、またはシート内部に光を散乱させる粒子を分散させたものがある。これらのシートは、光を拡散させる粒子の密度や濃度、添加量によって拡散特性を制御することが出来るが、その反面光拡散粒子の散乱により光線透過率が大きく低下し、輝度の低下を招いている。
【００１０】
先に述べたように、光学シートには液晶表示装置の画面全体の輝度を出来るだけ高く維持しつつ輝度分布を均一にする機能が求められている。特に光の指向性が高いＬＥＤを光源とする液晶表示装置や照明装置においては、ＬＥＤ光源の配置数や配置箇所、あるいは側面側から入射されたＬＥＤ光源からの光を垂直に立ち上げる役割を担う導光板の特性によって、ＬＥＤ光源による明暗差の低減や画面全体の輝度分布を均一にすることが難しくなっている。
【００１１】
以上のような課題を解決するために用いられている光学シートにおいても、拡散特性を用いて画面全体の輝度ムラを緩和させると同時にシート面内の輝度を高く維持することの両立は困難であり、これを可能にするためには、複雑な形状や難易度の高い加工工程を必要とする光学シートを利用する必要があるため、装置全体のコストアップを招いているのが現状である。
【００１２】
本発明は、上記事情を鑑みてなされたものであり、高い輝度と高い拡散性とを実現する光学シートを提供することを目的とする。
【課題を解決するための手段】
【００１３】
本発明の第１態様による光学シートは、透明基材と、前記透明基材上に配置されたレンズアレイと、を備え、前記レンズアレイは、凹状又は凸状の複数のレンズで構成され、前記複数のレンズは前記透明基材のレンズ形成面上において隙間なく並んで配置され、前記レンズの曲面の曲率が最大になる点の接線と前記透明基材表面とが成す接線角が２０度以上５０度以下である。
【００１４】
また、本発明の第２態様による光学シートの前記レンズの平面形状は、第１対角線と、前記第１対角線と長さが異なる第２対角線とを含む六角形であって、前記第２対角線の長さは前記第１対角線の長さの１．３倍以上１．８倍以下である。
また、本発明の第３態様による光学シートの前記レンズの平面形状は、全ての対角線の長さが同じである六角形又は四角形である。
【００１５】
また、本発明の第４態様による光学シートは、第１態様の光学シートの前記複数のレンズは、平面形状が互いに異なるものを含むものである。
また、本発明の第５態様による光学シートは、第１態様の光学シートの前記複数のレンズは、前記接線角が互いに異なるものを含むものである。
【発明の効果】
【００１６】
本発明の光学シートによれば、高い輝度と高い拡散性とを実現する光学シートを提供することができる。
【図面の簡単な説明】
【００１７】
【図１】図１は、本発明の実施形態による光学シートの一構成例を概略的に示す断面図である。
【図２】図２は、図１に示す光学シートのレンズの平面形状の一例を説明するための図である。
【図３】図３は、図１および図２に示す光学シートのレンズの曲面形状の一例を説明するための図である。
【図４】図４は、図１および図２に示す光学シートの一構成例を概略的に示す部分斜視図である。
【図５】図５は、図１に示す光学シートのレンズの平面形状の他の例を説明するための図である。
【図６】図６は、図１および図５に示す光学シートの一構成例を概略的に示す部分斜視図である。
【図７】図７は、図１に示す光学シートのレンズの平面形状の他の例を説明するための図である。
【図８】図８は、図１および図７に示す光学シートの一構成例を概略的に示す部分斜視図である。
【図９】図９は、本発明の実施形態による光学シートと比較例による光学シートとについて、全光線透過率とヘイズ値とを測定した結果の一例を示す図である。
【発明を実施するための形態】
【００１８】
＜第１実施形態＞
以下に、第１実施形態の光学シートについて図面を参照して詳細に説明する。
図１は、本発明の実施形態による光学シートの一構成例を概略的に示す断面図である。
本実施形態の光学シート１００は、透明基材１０と、レンズアレイ２０とを積層して構成されている。
【００１９】
透明基材１０は、透明なシート状の部材である。本実施形態では、透明基材１０は例えばＰＥＴ（ポリエチレンテレフタレート：polyethylene terephthalate）により形成され、その厚み（Ｙ方向の幅）Ｙ１は略５０μｍ以上略２５０μｍ以下とする。透明基材の厚みは、５０μｍ以下である場合は片面に形成する透明樹脂レンズに起因する反りが発生することから好ましくなく、２５０μｍ以上である場合はシート自体の厚みや重量が高くなり、薄型化や軽量化を求められる用途先に適さないことが生じる。透明基材１０の材料はＰＥＴに限定されるものではない。透明な材料であれば透明基材１０の材料として採用することができる。例えば、透明基材１０の材料として、ＰＣ（ポリカーボネイト）、ＰＭＭＡ（ポリメチルメタクリレート）、ＣＯＰ（シクロオレフィンポリマー）、アクリルニトリルスチレン共重合体、アクリロニトリルポリスチレン共重合体等を採用することができる。
【００２０】
レンズアレイ２０は、透明基材１０上に配置されている。レンズアレイ２０は、透明基材１０のレンズ形成面上において隙間なく並んで配置された複数の凸レンズ２２を有している。凸レンズ２２は、透明基材１０とレンズアレイ２０とが積層した方向（積層方向）Ｙと略直交した平面（Ｘ−Ｚ平面と平行な平面）上において、隙間なく並んで配置されている。すなわち、複数の凸レンズ２２間に平坦な部分はなく、凸レンズ２２は隣り合う複数の凸レンズ全てと接するように配置されている。これは平坦面が光学シートに入射する光が制御することなく出射されるため、光学シートの輝度と拡散性の光学設計や制御が困難になるためである。なお、図１では、Ｙ方向が積層方向、Ｘ方向が幅方向、Ｚ方向が奥行方向である。
【００２１】
本実施形態では、レンズアレイ２０は、例えば透明な紫外線硬化樹脂材料により形成されている。レンズアレイ２０において、透明基材１０の表面から凸レンズ２２の曲面下部までに高さ（レンズ基部高さ）Ｙ２を設けている。レンズ基部高さＹ２が薄すぎると、光学シート１００の透過率が上がるが、後述するように金型でレンズ形状を形成する際にレンズ形状がきれいに形成されないことがある。またレンズ基部高さＹ２が厚すぎると光学シートの透過率が下がり、また光学シート１００が反ってしまうことがある。このことから、レンズ基部高さＹ２は例えば５μｍ以上３０μｍ以下とすることが望ましい。特に１５μｍ以上２０μｍ以下であることがより望ましい。上記透明基材１０とレンズアレイ２０とは一体に形成されている。
【００２２】
本実施形態において、必ずしも透明基材を必要とすることはなく、例えば耐熱性に優れたポリカーボネイト樹脂や透明性に優れたアクリル樹脂を用いた押出賦形工法による一種類の樹脂で光学シートが構成されていても良い。
【００２３】
図２は、図１に示す光学シートのレンズの平面形状の一例を説明するための図である。
ここでは、Ｘ−Ｚ平面と垂直な方向Ｙに沿って、図１に示した光学シート１００をレンズアレイ２０側から見たときの凸レンズ２２の形状（平面形状）を示している。
【００２４】
本実施形態では、複数の凸レンズ２２の平面形状（凸レンズ２２同士の境界を結ぶラインに囲まれた形状）は全て同じ形状であって、例えば図２に示すように１本の対角線Ａに対して線対称な六角形である。凸レンズ２２の平面形状をこのような形状とし、複数の凸レンズ２２の対角線Ａ同士が平行となるように並べると、複数の凸レンズ２２を隙間なく配置することができる。換言すると、複数の凸レンズ２２のそれぞれは、その平面形状である六角形の全ての辺を、他の凸レンズ２２と共有している。
【００２５】
本実施形態では、対角線（第１対角線）Ａと他の２本の対角線（第２対角線）Ｂとは長さが異なる六角形である。また、凸レンズ２２の平面形状は、図２に示す平面図において、平面視でレンズ頂点ＴＰを通る第１線Ｌ１と、レンズ頂点ＴＰを通り第１線Ｌ１と直交し、第１線Ｌ１より長い第２線Ｌ２とを含む六角形である。第１線Ｌ１は、第１対角線Ａと共通である。以下の説明においてこのような六角形を長方六角形という。対角線Ａは対角線Ｂよりも短い短対角線であり、対角線Ｂは長対角線である。対角線の長さを変えることで、対角線長さが同じ正六角形レンズに比べて、それぞれの対角線において全光線透過率及びヘイズ値を担当制御させることで光学設計が容易になる。長対角線Ｂの長さは短対角線Ａの長さの略１．３倍以上１．８倍以下であることが望ましい。長対角線Ｂと短対角線Ａとの長さが上記範囲を外れると、全光透過率およびヘイズ値を高く維持することが困難となる。
【００２６】
図３は、図１および図２に示す光学シートのレンズの曲面形状の一例を説明するための図である。
ここでは、例えば、凸レンズ２２の長対角線Ｂを通り積層方向Ｙに平行な平面における断面の曲面形状の一例を示している。点Ｐは、凸レンズ２２の曲面の曲率が最も大きくなる点である。この例では、長対角線Ｂを通り、積層方向Ｙに平行な平面における断面の点Ｐの接線と、長対角線Ｂを延長した線（又は透明基材１０の表面）とが交差した角度θ（点Ｐを通る接線よりも凸レンズ２２側に生じる角度であり、以下の説明において接線角θと言う）を２０度以上５０度以下とすることが望ましい。
【００２７】
なお、図３では、長対角線Ｂを通り、積層方向Ｙに平行な平面における断面の点Ｐの接線と、長対角線Ｂを延長した線（又は透明基材１０の表面）とが交差した角を接線角θの一例として記載している。凸レンズ２２の平面形状の重心（又は平面視におけるレンズ頂点ＴＰ）を通りかつ積層方向Ｙに略平行な平面における断面の、曲率が最も大きくなる点の接線と、透明基材１０の表面と略平行な平面とが成す角を接線角θとしてもよく、このような接線角θの全てを２０度以上５０度以下とすることが望ましい。
【００２８】
また、第１線Ｌ１を通り積層方向Ｙに平行な断面において、凸レンズ２２のレンズ曲面の曲率が最大になる点の接線と透明基材１０表面とが成す接線角θは、３０度以上５０度以下とすることが望ましく、第２線Ｌ２を通り積層方向Ｙに平行な断面において、凸レンズ２２のレンズの曲面の曲率が最大になる点の接線と透明基材１０表面とが成す接線角θは２０度以上３０度以下とすることが望ましい。
【００２９】
第１線Ｌ１を通り積層方向Ｙに平行な断面におけるレンズ曲面の曲率半径が５０μｍから１００μｍの範囲とすることが望ましく、第２線Ｌ２を通り積層方向Ｙに平行な断面におけるレンズ曲面の曲率半径は１５０μｍから２５０μｍの範囲とすることが望ましい。  
【００３０】
図４は、図１および図２に示す光学シートの一構成例を概略的に示す部分斜視図である。図４に示すように、レンズアレイ２０の複数の凸レンズ２２は、互いに隙間なく並んで配置されている。複数の凸レンズ２２同士の間に平坦な部分（透明基材１０の表面と略平行な部分）は無く、凸レンズ２２同士の境界線も平坦ではない。凸レンズ２２同士の境界線はレンズ表面に沿って曲線状に延びている。
【００３１】
上記のように凸レンズ２２を隙間なく配置したレンズアレイ２０を含む光学シート１００によれば、従来の半球状のレンズを用いた光学シートとは異なり隣接する凸レンズ２２間に隙間が生じることがなくなるため、例えば透明基材１０側から光学シート１００に入射した光は全て凸レンズ２２内を通り、凸レンズ２２と空気層界面で屈折、散乱されて正面に集光されることになる。したがって、本実施形態の光学シート１００によれば、従来の半球状のレンズを用いた光学シートに比べて高い全光線透過率を実現するとともに、高いヘイズ値を実現することが可能となる。
【００３２】
また、本実施形態の光学シート１００では、例えば短対角線Ａにおける凸レンズ２２の断面と長対角線Ｂにおける凸レンズ２２の断面との曲面形状が異なっている。このように異なる曲面形状を含む凸レンズ２２を隙間なく配置したレンズアレイ２０を含むことにより、本実施形態の光学シート１００は高いヘイズ値を実現することができる。
【００３３】
例えば、短対角線Ａを９３μｍ、長対角線Ｂを１５０μｍとし、第１線接線角を４２度、第２線接線角を２５度とし、第１線Ｌ１を通り積層方向Ｙに平行な凸レンズ２２の断面におけるレンズ曲面の曲率半径を６８μｍ、第２線Ｌ２を通り積層方向Ｙに平行な凸レンズ２２の断面におけるレンズ曲面の曲率半径を１９０μｍとし、下記の製造方法で作成した光学シート１００をエッジライト型のバックライトユニット上に配置し、全光線透過率を測定したところ、９１．９％であり、ヘイズ値を測定したところ、９２．７％であった。
なお、第１線接線角は、第１線Ｌ１を通り積層方向Ｙに平行な凸レンズ２２の断面における接線角θであり、第２接線角は、第２線Ｌ２を通り積層方向Ｙに平行な凸レンズ２２の断面における接線角θである。
【００３４】
次に、上述の光学シート１００の製造方法について説明する。
上述の光学シート１００は例えばロールツーロール（roll to roll）により形成される。シート状或いはロール状の透明基材１０を用意し、透明基材１０上にレンズアレイ２０となる透明樹脂材料を塗布する。レンズアレイ２０となる透明樹脂材料として、例えば紫外線硬化樹脂を用いることができる。塗布した透明樹脂材料にロール状或いは平板状の金型を押し当ながら透明樹脂材料を硬化させて、複数の凸レンズ２２を備えたレンズアレイ２０を形成する。なお、レンズアレイ２０を形成する材料は紫外線硬化樹脂材料に限定されるものではなく、例えば熱硬化樹脂材料等の、製造方法に応じた適切な材料を用いることができる。
【００３５】
ここで用いる金型は切削加工により形成される。エッチングにより金型を形成すると等方的な形状となり、本実施形態の凸レンズ２２（又は凹レンズ）を隙間なく並べたレンズアレイ２０の所望の曲面形状を精度よく形成することが困難になるからである。切削加工により曲面レンズを含むレンズアレイ２０の版を形成することで、所望の曲面形状のレンズアレイ２０を空隙を設けることなく備えた光学シート１００を安価に作製することが可能となる。
【００３６】
一方で、金型を切削加工により形成すると、金型の切削面に切削刃による加工スジが残る。この加工スジは切削刃が当たる際の抵抗により生じる刃先の跡であり、例えば、切削刃を進める方向と略直交した方向に延びたスジである。切削加工により形成された金型により、レンズアレイ２０の表面形状を形成すると、凸レンズ２２（又は凹レンズ）の表面に加工スジが生じる。これは非常に微細なスジであり、例えば金型の切削加工により凸レンズ２２（又は凹レンズ）の表面に加工スジが生じた場合、その表面の算術平均粗さ（Ｒａ）が０．００５μｍから０．０３μｍの範囲である。
上記のように、本実施形態によれば、レンズアレイ２０の金型を切削加工により形成しているので、隣接する凸レンズ２２（又は凹レンズ）間に空隙を設けることなく、且つ凸レンズ２２（又は凹レンズ）の表面に対し不規則に連続した加工スジからなる微細凹凸を、工程数を増やすことなく形成することができる。その結果、高い輝度と高い拡散性とを備える光学シートを提供することができる。
【００３７】
＜第２実施形態＞
次に、第２実施形態の光学シートについて図面を参照して詳細に説明する。
なお、以下の説明において、上述の第１実施形態と同様の構成については、同一の符号を付して説明を省略する。本実施形態の光学シート１００は、レンズアレイ２０の構成が上述の第１実施形態と異なっている。
【００３８】
図５は、図１および図２に示す光学シートのレンズの平面形状の他の例を説明するための図である。本実施形態では、凸レンズ２２の平面形状は正六角形である。凸レンズ２２の平面形状の対角線Ｃの長さは例えば略２３μｍ以上略１７３μｍ以下であり、対向した辺間の距離Ｄは例えば略２０μｍ以上略１５０μｍ以下である。本実施形態において、例えば、対角線Ｃと積層方向Ｙとを通る平面における断面の凸レンズ２２の曲面の曲率が最も大きくなる点を通る接線と、対角線Ｃの延長線（又は透明基材１０の表面）とが成す接線角θを２０度以上５０度以下とすることが望ましい。
【００３９】
図６は、図１および図５に示す光学シートの一構成例を概略的に示す部分斜視図である。図６に示すように、レンズアレイ２０の複数の凸レンズ２２は、互いに隙間なく並んで配置されている。複数の凸レンズ２２同士の境界線は、透明基材１０の表面と略平行ではなく透明基材１０の表面に対して凸状に延びている。上記のレンズ形状以外の構成は、上述の第１実施形態と同様である。
【００４０】
凸レンズ２２の平面形状を上記のように正六角形とすると、凸レンズ２２を隙間なく配置することができる。換言すると、複数の凸レンズ２２のそれぞれは、その平面形状である正六角形の全ての辺を、他の凸レンズ２２と共有している。このことにより、本実施形態の光学シート１００によれば、従来の半球状のレンズを用いた光学シートに比べて高い全光線透過率を実現することが可能である。また、上記の凸レンズ２２を隙間なく配置したレンズアレイ２０を含むことにより、本実施形態の光学シート１００は高いヘイズ値を実現することができる。
【００４１】
例えば、対角線Ｃを６４μｍ、対向した辺間の距離Ｄを５４μｍとし、接線角θを３１度とし、対角線Ｃを通り積層方向Ｙに平行な凸レンズ２２の断面におけるレンズ曲面の曲率半径を６８μｍとした光学シート１００をエッジライト型のバックライトユニット上に配置し全光線透過率を測定したところ、９１．８％であり、ヘイズ値を測定したところ８９．１％であった。
上記のように、本実施形態によれば、高い輝度と高い拡散性とを実現する光学シートを提供することができる。
【００４２】
＜第３実施形態＞
次に、第３実施形態の光学シートについて図面を参照して詳細に説明する。
本実施形態の光学シート１００は、レンズアレイ２０の構成が上述の第１および第２実施形態と異なっている。
【００４３】
図７は、図１および図２に示す光学シートのレンズの平面形状の他の例を説明するための図である。実施形態では、凸レンズ２２の平面形状は正方形である。凸レンズ２２の平面形状の辺の長さＥは例えば略２０μｍ以上略１００μｍ以下である。本実施形態において、例えば、凸レンズ２２の平面形状の対角線と積層方向Ｙとを通る平面における断面の凸レンズ２２の曲面の曲率が最も大きくなる点を通る接線と、対角線の延長線（又は透明基材１０の表面）とが成す接線角θを２０度以上５０度以下とすることが望ましい。
【００４４】
図８は、図１および図７に示す光学シートの一構成例を概略的に示す部分斜視図である。図８に示すように、レンズアレイ２０の複数の凸レンズ２２は、互いに隙間なく並んで配置されている。複数の凸レンズ２２同士の境界線は、透明基材１０の表面と略平行ではなく透明基材１０の表面に対して凸状に延びている。上記のレンズ形状以外の構成は、上述の第１および第２実施形態と同様である。
【００４５】
凸レンズ２２の平面形状を上記のようにすると、凸レンズ２２を隙間なく配置することができる。換言すると、複数の凸レンズ２２のそれぞれは、その平面形状である正方形の全ての辺を、他の凸レンズ２２と共有している。なお、図４では、凸レンズ２２は平面形状の正方形がＸ方向およびＺ方向に沿ってマトリクス状に並んで配置しているが、これに限定されるものではなく、凸レンズ２２が隙間なく配置されていればよい。例えば、平面形状の正方形の一辺が隣接する他の２つの凸レンズ２２と接するように配置してもよい。
【００４６】
このことにより、本実施形態の光学シート１００によれば、従来の半球状のレンズを用いた光学シートに比べて高い全光線透過率を実現することが可能である。また、上記の凸レンズ２２を隙間なく配置したレンズアレイ２０含むことにより、本実施形態の光学シート１００は高いヘイズ値を実現することができる。
【００４７】
例えば、対向した辺間の距離Ｅを４５μｍとし、接線角θを２８度とし、距離Ｅを通り積層方向Ｙに平行な凸レンズ２２の断面におけるレンズ曲面の曲率半径値を６８μｍとした光学シート１００をエッジライト型のバックライトユニット上に配置し全光線透過率を測定したところ、９１．５％であり、ヘイズ値は８６．６％であった。
上記のように、本実施形態によれば、高い輝度と高い拡散性とを実現する光学シートを提供することができる。
【００４８】
なお、上記の第１乃至第３実施形態では光学シート１００のレンズアレイ２０は複数の凸レンズ２２を有していたが、これに限定されるものではなく、複数の凹レンズを備えていても構わない。レンズアレイ２０が複数の凹レンズを備える場合は、凹レンズの平面形状および曲面形状を凸レンズ２２の上述の条件と同じにすることにより、凸レンズ２２を備えたレンズアレイ２０を含む光学シート１００と同様の効果を得ることができる。
【００４９】
また、レンズアレイ２０の凸レンズ２２の平面形状は、上述の実施形態の記載に限定されるものではない。例えば、凸レンズ２２の平面形状は長方形や平行四辺形やひし形等であっても、複数の凸レンズ２２を隙間なく配置できる形状であれば構わない。
【００５０】
図９は、本発明の実施形態による光学シートと比較例による光学シートとについて、全光線透過率とヘイズ値とを測定した結果の一例を示す図である。
次に、図９に基づいて、上述の第１実施形態、第２実施形態、および、第３実施形態の光学シート１００と、第１比較例、第２比較例、および、第３比較例の光学シートとについて、全光線透過率とヘイズ値とを測定した結果の一例について説明する。第１比較例、第２比較例、および、第３比較例の光学シートは、レンズアレイの凸レンズの形状が上述の実施形態と異なっている。
【００５１】
第１実施形態、第２実施形態、第３実施形態の光学シートは、透明基材１０として厚みが１８８μｍのＰＥＴ基材（東洋紡製Ａ４３００）を用い、レンズアレイ２０となる透明樹脂としては屈折率１．５０の紫外線硬化樹脂を用いて作製した。
【００５２】
第１比較例の光学シートは、凸レンズの平面形状が直径略７８μｍの円形であり、半球状の凸レンズの高さ（半球状の凸レンズの曲面頂点と底面との距離）は略３７μｍである。この第１比較例の光学シートは、全光線透過率が５６．８％であり、ヘイズ値は６５．７％であった。
【００５３】
第２比較例の光学シートは、半球状の凸レンズの平面形状が直径略７９μｍの円形であり、半球状の凸レンズの高さは略４０μｍである。この第２比較例の光学シートは、全光線透過率が５３．８％であり、ヘイズ値は９０．３％であった。
【００５４】
第３比較例の光学シートは、半球状の凸レンズの平面形状が直径略２６μｍの円形であり、半球状の凸レンズの高さは略１６μｍである。この第３比較例の光学シートは、全光線透過率が６６．１％であり、ヘイズ値は９２．６％であった。
【００５５】
第１乃至第３比較例の光学シートの測定結果によれば、９０％以上の高いヘイズ値を得られるものもあるが、全光線透過率とヘイズ値との両方が高いものはなかった。これに対し、第１乃至第３実施形態の光学シート１００によれば、いずれも９０％以上の高い全光線透過率と、８５％を上回る高いヘイズ値との両方を実現していることが分かる。
【００５６】
この結果から、上記の第１乃至第３実施形態によれば、高い輝度と高い拡散性とを実現する光学シートを提供することができると言える。すなわち、第１乃至第３実施形態の光学シート１００は、他のシートにて特性を補うことなく、１枚で十分な輝度と十分な拡散性を得ることができるものであって、搭載する装置の構成部材の数を減らすことを可能にするものである。例えば、光学シート１００を液晶表示装置等の画像表示装置、バックライトユニット、照明装置に搭載した場合、他の光学シートを更に備える必要がなくなるため、液晶表示装置、バックライトユニット、照明装置の薄型化、小型化、軽量化の実現を可能とするものである。また、上述の光学シート１００では高い全光線透過率を得ることができるため、バックライトユニットや照明装置の光源を増加せずに十分な明るさを得ることができるため、低消費電力化を実現することができる。
【００５７】
上記の実施形態では、ロールツーロールにより光学シート１００を形成する場合について説明したが、上述のレンズ形状を形成する金型を用いる他の製造方法であってもかまわない。例えば、上述の光学シート１００のレンズ形状を形成する金型を用いて、押出成形により光学シートを形成することが可能である。その場合、透明基材１０は必要なく、例えばポリカーボネイトなどによる単層の光学シートを形成することができ、上述の実施形態と同様の効果を得ることができる。この場合、光学シート１００の材料として、例えば、ポリカーボネイト樹脂、アクリル系樹脂、フッ素系アクリル樹脂、シリコーン系アクリル樹脂、エポキシアクリレート樹脂、ポリスチレン樹脂、シクロオレフィンポリマー、メチルスチレン樹脂、フルオレン樹脂、ＰＥＴ、ポリプロピレン、アクリルニトリルスチレン共重合体、アクリロニトリルポリスチレン共重合体などの熱可塑性樹脂を採用することが可能である。このようにレンズ形状が上述の第１乃至第３実施形態と同じ光学シートであれば、そのシートの製造方法によらず、同様の効果を得ることができる。
【００５８】
また上記実施形態では、各光学シート１００の凸レンズ２２の形状は全て同じであったが、凸レンズ２２を隙間なく配置することができれば、レンズ２２の形状が異なっていても構わない。例えば、平面形状が正方形の凸レンズと平面形状が長方形の凸レンズとを組み合わせて隙間なく配置したレンズアレイを含んだ光学シートでもよく、アルキメデスの平面充填法による正三角形と正方形の組み合わせといった、既知の平面充填法により凸レンズ２２を隙間無く配置してもよい。また、接線角θが異なる凸レンズを組み合わせて隙間なく配置したレンズアレイを含んだ光学シート１００でもよい。その場合であっても上述の実施形態と同様の効果を得ることができる。
【符号の説明】
【００５９】
１０…透明基材、２０…レンズアレイ、２２…凸レンズ、１００…光学シート、Ａ…短対角線（第１対角線）、Ｂ…長対角線（第２対角線）、Ｃ…対角線、Ｄ、Ｅ…対向した辺間の距離、Ｐ…曲率が最大となる点、Ｙ…積層方向、Ｙ１…透明基材の厚み、Ｙ２…レンズ基部高さ、θ…接線角、ＴＰ…レンズ頂点、Ｌ１…第１線、Ｌ２…第２線。
【図１】
2017040759.tif 000003
【図２】
2017040759.tif 000004
【図３】
2017040759.tif 000005
【図４】
2017040759.tif 000006
【図５】
2017040759.tif 000007
【図６】
2017040759.tif 000008
【図７】
2017040759.tif 000009
【図８】
2017040759.tif 000010
【図９】
2017040759.tif 000011